(57)【要約】  記載されるのは、プロトロンビン時間アッセイ用の液体トロンボプラスチン試薬を調製するためのキットである。本キットは、試薬調製を簡素化して試薬調製時間を最小限にし、しかも２〜５年間安定である。【特許請求の範囲】
【請求項１】
プロトロンビン時間を測定するための液体トロンボプラスチン試薬を調製するためのキットであって、
緩衝液中に脂質混合物と組み合わされた凝固因子ＩＩＩと、０ｍＭ超〜約１００ｍＭの濃度範囲のキレート剤とを含む第１の容器；および、
約５ｍＭ〜約５００ｍＭの範囲の濃度で緩衝液に溶かしたカルシウム溶液を含む第２の容器
を含むキット。
【請求項２】
前記キットは少なくとも２年の有効期間を有する、請求項１に記載のキット。
【請求項３】
前記キレート剤は、シトレート、ＥＤＴＡ、ＥＧＴＡ、ニトリロ三酢酸（ＮＴＡ）、エチレンジアミン、Ｎ−（２−アセトアミド）イミノ二酢酸（ＡＤＡ）、ジエチレントリアミン五酢酸（ＤＴＰＡ）、タルトレート、グリシネート、ＢＡＰＴＡ、およびオキサレート、ホスフェート、ジホスフェート、ポリホスフェート、有機ホスホネートおよびこれらの組み合わせからなる群から選択される、請求項１に記載のキット。
【請求項４】
前記組織因子は組換え組織因子およびネイティブな組織因子からなる群から選択される、請求項１に記載のキット。
【請求項５】
前記組織因子は動物組織から抽出される、請求項１に記載のキット。
【請求項６】
前記カルシウム濃度は約９ｍＭ〜約１５．５ｍＭの範囲にある、請求項１に記載のキット。
【請求項７】
前記脂質混合物は、リン脂質、コレステロール、脂肪酸、スフィンゴ脂質、モノ−グリセリド、ジ−グリセリド、トリグリセリド、ならびに卵、大豆、植物組織、酵母、細菌および動物組織からなる群から選択される天然の材料の脂質抽出物からなる群から選択される、請求項１に記載のキット。
【請求項８】
プロトロンビン時間を測定するための液体トロンボプラスチン試薬を調製するための方法であって、
ａ）トロンボプラスチン組織因子、リン脂質、および約０ｍＭ〜約１００ｍＭの濃度範囲のカルシウムキレート剤を含む液状試薬を用意すること；
ｂ）約５ｍＭ〜約５００ｍＭの濃度範囲のカルシウム溶液を用意すること；および、
ｃ）室温で前記液体トロンボプラスチン試薬を作るために、ステップａ）の前記液状試薬およびステップｂ）の前記カルシウム溶液を混ぜ合わせること
を含む方法。
【請求項９】
前記液状試薬は少なくとも２年の有効期間を有する、請求項８に記載の方法。
【請求項１０】
前記キレート剤は、シトレート、ＥＤＴＡ、ＥＧＴＡ、ニトリロ三酢酸（ＮＴＡ）、エチレンジアミン、Ｎ−（２−アセトアミド）イミノ二酢酸（ＡＤＡ）、ジエチレントリアミン五酢酸（ＤＴＰＡ）、タルトレート、グリシネート、ＢＡＰＴＡ、およびオキサレート、ホスフェート、ジホスフェート、ポリホスフェート、有機ホスホネートならびにこれらの組み合わせからなる群から選択される、請求項８に記載の方法。
【請求項１１】
前記組織因子は、組換え組織因子およびリン脂質、コレステロール、脂肪酸、スフィンゴ脂質、モノ−グリセリド、ジ−グリセリド、トリ−グリセリド、ならびに卵、大豆、植物組織、酵母、細菌および動物組織からなる群から選択される天然の材料の脂質抽出物からなる群から選択される、請求項８に記載の方法。
【請求項１２】
前記組織因子は動物組織からなる群から抽出される、請求項８に記載の方法。
【請求項１３】
前記カルシウム溶液は約５ｍＭ〜約５００ｍＭの濃度範囲にある、請求項８に記載の方法。
【請求項１４】
２成分トロンボプラスチン試薬の有効期間を延長させるための方法であって、
ａ）液状のトロンボプラスチン組織因子と脂質混合物との組み合わせを含む成分ａ）を用意すること；
ｂ）約５ｍＭ〜約５００ｍＭの濃度範囲で溶液中にカルシウムを含む成分ｂ）を用意すること；および
ｃ）成分ａ）にカルシウムキレート剤を加えること
を含む、方法。
【請求項１５】
プロトロンビン時間を測定するための液体トロンボプラスチン試薬を調製するためのキットであって、
緩衝液中に脂質と組み合わされたトロンボプラスチン組織因子を含む第１の容器；および、
約５ｍＭ〜約５００ｍＭの範囲の濃度で緩衝液に溶かしたカルシウム溶液を含む第２の容器
を含むキット。
【請求項１６】
前記脂質は、リン脂質、コレステロール、脂肪酸、スフィンゴ脂質、モノ−グリセリド、ジ−グリセリド、トリグリセリド、および天然の材料の脂質抽出物からなる群から選択される、請求項１５に記載のキット。
【請求項１７】
前記天然の材料の脂質抽出物は、卵、大豆、植物組織、酵母、細菌、ならびに心臓、脳、および肝臓などの動物組織からなる群から選択される、請求項１６に記載のキット。
【請求項１８】
プロトロンビン時間を測定するための液体トロンボプラスチン試薬を調製するための方法であって、
ａ）トロンボプラスチン組織因子および脂質を含む液状試薬を用意すること；
ｂ）約５ｍＭ〜約５００ｍＭの濃度範囲のカルシウム溶液を用意すること；および、
ｃ）室温で前記液体トロンボプラスチン試薬を作るために、ステップａ）の前記液状試薬とステップｂ）の前記カルシウム溶液とを混ぜ合わせること
を含む方法。
【請求項１９】
前記脂質は、リン脂質、コレステロール、脂肪酸、スフィンゴ脂質、モノ−グリセリド、ジ−グリセリド、トリグリセリド、および天然の材料の脂質抽出物からなる群から選択される、請求項１８に記載の方法。
【請求項２０】
前記天然の材料の脂質抽出物は、卵、大豆、植物組織、酵母、細菌、ならびに心臓、脳および肝臓などの動物組織からなる群から選択される、請求項１９に記載の方法。
【発明の詳細な説明】
【技術分野】
【０００１】
発明の分野
発明の分野は、患者の凝固を評価するためのアッセイを準備するための試薬、さらに詳しくはプロトロンビン時間アッセイのための試薬と、凝固アッセイのためのキットと、そうしたアッセイを準備する方法とに関する。
【背景技術】
【０００２】
発明の背景
プロトロンビン時間（ＰＴ）は、血液凝固の外因系経路において自然に発生する欠乏か、あるいはCoumadinなどの経口ビタミンＫ拮抗薬（ＶＫＡ）の処方により誘発される欠乏かを判定するために、患者血漿を用いて使用されている。ＰＴは、安定化量のキレート剤（たとえば、シトレート）中で採取されたヒト患者血漿と標準トロンボプラスチン溶液（working thromboplastin solution）を混合する手動または自動検査法を用いて臨床現場で日常的に行われる。標準トロンボプラスチン溶液は最低限、凝固促進性脂質膜表面と複合体を形成する組織因子（天然（ＴＦ）または組換え（ｒＴＦ））、および血栓を防ぐため血液が患者から採取された際に血漿中でキレート化したカルシウムイオンを補充するのに不可欠な補助因子としてのカルシウムイオンで構成される。標準トロンボプラスチン溶液は、液状あるいは凍結乾燥形態である。
【０００３】
現在利用可能な液体トロンボプラスチンは、単一のバイアルに成分のすべてを含む。これは、長期安定性が制限され、２〜８℃で維持されると有効期間が１年以下であるため都合が悪い。加えて、現在利用可能な凍結乾燥トロンボプラスチンは、使用前の再溶解にかなりの調製時間を必要とし、かつ再溶解プロセスによりＰＴ測定の精度に新たにばらつきが生じるため都合が悪い。
【発明の概要】
【課題を解決するための手段】
【０００４】
発明の概要
一態様では、本発明は、患者のプロトロンビン時間を測定するための液体トロンボプラスチン試薬（liquid thromboplastin reagent）を調製するためのキットを対象とする。一実施形態では、キットは、第１の容器および第２の容器を含む。第１の容器は、脂質混合物と組み合わされた凝固因子ＩＩＩ（組織因子、ＣＤ１４２）とキレート剤（chelator）とを含む。キレート剤、たとえば、以下に限定されるものではないが、シトレート、ＥＤＴＡ、ＥＧＴＡ、ニトリロ三酢酸（ＮＴＡ）、エチレンジアミン、Ｎ−（２−アセトアミド）イミノ二酢酸（ＡＤＡ）、タルトレート、グリシネート、ＢＡＰＴＡ、オキサレート、ホスフェート、ジホスフェート、ポリホスフェート、有機ホスホネート、およびこれらの組み合わせであってもよい。キレート剤の濃度は、約０ｍＭ超〜約１００ｍＭ、約０超〜約５０ｍＭ、約０ｍＭ超〜約２５ｍＭ、約１０ｍＭ〜約５０ｍＭ、たとえばＥＤＴＡで約０．５ｍＭ、たとえばシトレートで約１１ｍＭである。脂質混合物は、たとえばリン脂質、コレステロール、脂肪酸、スフィンゴ脂質、モノ−グリセリド、ジ−グリセリド、トリ−グリセリド、天然脂質抽出物およびこれらの組み合わせを含む。凝固因子ＩＩＩ（組織因子）の供給源は、以下に限定されるものではないが、組換え組織因子または脳もしくは他の組織から抽出されたネイティブな組織因子を含む。
【０００５】
本発明のこの実施形態における第２の容器は、典型的にはたとえば約５ｍＭ〜約５００ｍＭ、約５ｍＭ〜約１００ｍＭ、約１０ｍＭ〜約７５ｍＭ、約２５ｍＭ〜約５０ｍＭ、約５ｍＭ〜約２５ｍＭ、および約９ｍＭ〜約１５．５ｍＭの範囲の濃度で緩衝液に溶かしたカルシウム溶液を含む。
【０００６】
本発明のこの実施形態によるキットは、少なくとも２〜５年の有効期間を有する。
【０００７】
本発明のこの態様の別の実施形態では、キットは、キレート剤を除いて上述のキットとすべて同じ特徴を有する。
【０００８】
別の態様では、本発明は、患者のプロトロンビン時間を測定するための液体トロンボプラスチン試薬を調製するための方法を対象とする。本発明の方法の一実施形態では、本方法の第１のステップでは、上述の範囲の上記のような凝固因子ＩＩＩ（組織因子）と、上述の供給源由来の脂質混合物と、上述の濃度範囲の上述の群のキレート剤とを用意する。第２のステップでは、本方法は、上述の濃度範囲のカルシウム溶液を含む第２の容器を用意する。医療臨床関係者が患者のプロトロンビン時間を測定するために液体トロンボプラスチン試薬を調製する際、第１および第２の容器の内容物を混ぜ合わせ、直ちに使用してもよい。
【０００９】
本発明の方法により作られた液体トロンボプラスチン試薬は、少なくとも２年の有効期間を有する。
【００１０】
本発明の方法の別の実施形態では、第１の容器は、キレート剤以外は上記と同じである。
【００１１】
別の態様では、本発明は、２液系トロンボプラスチン試薬の有効期間を延長させるための方法を対象とする。本方法は、患者のプロトロンビン時間を測定するための液体トロンボプラスチン試薬の調製について上記したステップに従う。
【図面の簡単な説明】
【００１２】
【図１Ａ】表１において、本発明による２成分混合および使用の液体トロンボプラスチンのキットが少なくとも最低２４ヶ月またはそれ以上安定であることを示す。
【図１Ｂ】表２において、本発明による２成分混合および使用の液体トロンボプラスチンのキットが少なくとも最低２４ヶ月またはそれ以上安定であることを示す。
【図１Ｃ】表３において、本発明による２成分混合および使用の液体トロンボプラスチンのキットが少なくとも最低２４ヶ月またはそれ以上安定であることを示す。
【図２Ａ】本発明によるキレート剤処理ＴＦ−脂質サンプル中のキレート剤による沈殿（すなわち、不安定性）に対する保護を図示する。
【図２Ｂ】本発明によるキレート剤処理ＴＦ−脂質サンプル中のキレート剤による沈殿（すなわち、不安定性）に対する保護を図示する。
【図３】キレート剤処理ＴＦ−脂質サンプルのキレート剤による安定化を、未処理ＴＦ−脂質対照と比べて比較した表４を含む。
【図４】左側バイアルの底の未処理（曇った）サンプルおよび右側バイアルの底のキレート剤処理（透明な）サンプルを図示する。図３に開示されたデータは、左側（未処理）バイアルおよび右側（キレート剤処理）バイアルに対応する。
【図５Ａ】ＥＤＴＡキレート剤を用いたあるいは用いない加速条件（３７℃１０日間）下での（PLase）によるホスファチジルコリンの脂質分解を図示する。
【図５Ｂ】キレート剤を用いたおよび用いないReadiPlasTin（登録商標）中のホスファチジルコリン分解による、正常対照血漿におけるＰＴの変化率を図示する。キレート剤処理を行わない場合、分化したホスファチジルコリンが最も高いPLase濃度でベースラインを上回る遊離コリンとして示される一方、キレート剤処理を行うと、検出されるコリンのレベルが、ＴＦ−脂質中にスパイクしたPLase／カルシウムの全濃度にわたりベースラインにある。
【発明を実施するための形態】
【００１３】
発明の詳細な説明
一態様では、本明細書に記載の本発明は、患者の血液凝固能を検査するため、プロトロンビン時間（ＰＴ）アッセイ用に不可欠な試薬、液体トロンボプラスチンの有効期間を延ばすことを対象とする。本発明の第１の実施形態では、カルシウム成分（たとえば、緩衝液を用いたあるいは用いないカルシウムイオンを含む液体成分）は、プロトロンビン時間を測定するためのキットにおいて組織因子（ＴＦ）−脂質成分（たとえば、緩衝液を用いたあるいは用いないＴＦ−脂質を含む液体成分）と別個である。本発明のこの実施形態では、カルシウム成分は、使用直前に組織因子−脂質成分と組み合わされ、混合されると、標準トロンボプラスチン（working thromboplastin）が直ちに作られる。よって、本明細書に記載の発明によれば、トロンボプラスチンのカルシウム成分およびＴＦ−脂質成分は、キットの２成分が使用前に混ぜ合わされるまでキット内で互いに接触しない独立した試薬である。トロンボプラスチンのカルシウム成分およびＴＦ−脂質成分が、本発明によるキットの第１の実施形態の２成分を構成する。
【００１４】
本発明のこの第１の実施形態では、標準液体トロンボプラスチンは、プロトロンビン時間アッセイにおけるその使用前に使用者がキットの液体カルシウム成分をキットの液体ＴＦ−脂質成分と組み合わせることにより、たとえばカルシウム液１９体積部をＴＦ−脂質液１体積部と混合することにより調製される。別個のカルシウム成分とＴＦ−脂質成分とを混合することにより調製される標準トロンボプラスチンは、本発明の「２液系混合（すなわち、液体カルシウム成分を液体ＴＦ−脂質成分と混合すること）および使用」（すなわち、ＰＴを測定するために標準トロンボプラスチンを直ちに使用すること）構成という第１の実施形態を構成する。
【００１５】
上記で調製されるような「混合および使用」構成のトロンボプラスチンは、従来技術のトロンボプラスチン液よりも有利である。「混合および使用」構成のトロンボプラスチンは、キットのＴＦ−脂質成分の性能または安定性を低下させ得る、沈殿を生じる二価金属イオン依存性のベシクル融合または二価金属イオン依存性の脂質分解（脂質分解酵素の混入などによる）などの二価金属イオン依存性の脂質分解メカニズムを阻止しないまでも、少なくとも抑制するためである。さらに重要なのは、本開示のトロンボプラスチン液の「混合および使用」構成は、二価金属イオンの存在下でのＴＦ−脂質保管の有害作用を阻止しないまでも、少なくとも抑制するため、本明細書に記載の２成分「混合および使用」トロンボプラスチン液は、現在利用可能な単一成分形態より著しく長い有効期間を与え、たとえば、２〜８℃で維持すると少なくとも２年までの安定性を与える。
【００１６】
本明細書に記載の２成分の液体トロンボプラスチンの発明は、以下に限定されるものではないが、熱ストレス（たとえば、不適切な保管温度など）、化学的ストレス（たとえば、ＴＦ−脂質試薬を作製するのに使用される一連の原料中のホスホリパーゼなどの微量汚染物質）またはメカニカルストレス（たとえば、大規模な濾過により引き起こされるものなど）により引き起こされるＴＦ−脂質試薬に対するストレスの影響を緩和する。これらのストレスは、ＴＦ−脂質成分中の沈殿として、ＴＦ−脂質とカルシウム成分との混合物から調製される組み合わされた標準トロンボプラスチン中の沈殿として、またはＴＦ−脂質成分とカルシウム成分との混合物から調製される標準トロンボプラスチンのベースラインに対する、対照血漿のＰＴの大きな変化としてキットにおいて明らかになる。この２成分の実施形態では、液体カルシウム成分および液体ＴＦ−脂質成分は、別個の液体トロンボプラスチン成分として独立に調製され、下記に記載するように各々別個のコンパートメント、たとえば、別個の容器に保管される。別個のコンパートメントでは、実施形態の液体カルシウム成分および液体ＴＦ−脂質成分は、標準液体トロンボプラスチン試薬を作るための、使用者による構築前の将来のトロンボプラスチンを含む。
【００１７】
本発明のこの実施形態では、別個の液体カルシウム成分およびＴＦ−脂質成分は、ＰＴアッセイの適合性に必要な特性を有する標準トロンボプラスチン試薬を得るため、ＴＦ−脂質成分１体積部に対してカルシウム成分１９体積部で組み合わされるように設計されている。成分組成から、正常ヒトクエン酸血漿（すなわち、外因系因子の欠乏またはＶＫＡもしくは他の抗凝固処理のない）を用いて約１０〜１４秒（凝固の開始から血栓形成まで）の典型的な範囲のＰＴ結果が得られることが、標準トロンボプラスチンに必要な特性である。正常ヒトクエン酸血漿を用いてこの範囲のＰＴ結果を得るため、標準トロンボプラスチンには、ヒト患者クエン酸血漿を安定化させるキレート剤を凌駕するのに十分な、典型的には０〜２５ｍＭのカルシウム濃度と、典型的には０〜１０００ｇ／Ｌの範囲のＴＦ−脂質濃度とが必要とされる。
【００１８】
そのうえ、本明細書に記載の本発明の実施形態（カルシウム１９体積部：ＴＦ−脂質１体積部など）はさらに、上述のものと同じ必要な特性を有する標準トロンボプラスチンを製造するように意図されている。代替の実施形態は、たとえば、１体積部のカルシウム成分を１９体積部のＴＦ−脂質と混合して標準トロンボプラスチンを作製するように設計されたキットを含む。ＰＴアッセイに必要な特性を有する標準トロンボプラスチンを製造するには、そうしたキット（カルシウム１体積部：ＴＦ−脂質１９体積部）は、カルシウム１９体積部：ＴＦ−脂質１体積部を有する実施形態に対して液体カルシウム成分中のカルシウム濃度がかなり高いこと、およびＴＦ−脂質成分中のＴＦ−脂質濃度がかなり低いことが必要と考えられる。どちらの実施形態も、実施形態がキット内のカルシウム成分およびＴＦ−脂質成分の分離を利用しているため、さらに標準トロンボプラスチンが正常患者クエン酸血漿を用いたＰＴアッセイにおいて同等に働くため、本発明により意図されている。
【００１９】
本発明のなお別の（第２の）実施形態では、１種または複数種のキレート剤をミリモル濃度（たとえば、０ｍＭ超〜約１００ｍＭのキレート剤）で液体ＴＦ−脂質成分に加える。１種または複数種のキレート剤は、トロンボプラスチンの液体ＴＦ−脂質成分を二価金属イオン依存性劣化から保護する。キットの２成分のうち液体ＴＦ−脂質成分にキレート剤またはキレート化剤を含ませると、ＴＦ−脂質成分の二価金属イオン依存性不安定性から保護することにより液体ＴＦ−脂質成分の有効期間安定性がさらに延びる。キレート剤処理したＴＦ−脂質成分の有効期間安定性の長期化はさらに、たとえば、上記で論じたようなＴＦ−脂質成分に対する化学的ストレス、メカニカルストレスまたは熱ストレスにより生じる二価金属イオン依存性不安定性から保護することにより、２成分「混合および使用」トロンボプラスチン液の有効期間安定性を２年超、たとえば２〜５年またはそれ以上延ばす。
【００２０】
この第２の実施形態では、本明細書に記載の発明は、キット内のカルシウム成分（たとえば、カルシウムイオンを含む緩衝液体成分）とＴＦ−脂質成分とを分け、分けられた液体ＴＦ−脂質成分にキレート剤またはキレート化剤を含ませて脂質の二価金属イオン依存性劣化から守ることにより、トロンボプラスチン液の有効期間を延ばすことを対象とする。そうした二価金属イオンは、一連の原料の痕跡、石膏などの空気汚染物質として製造プロセス中に入り込んだことにより、または製造中にＴＦ−脂質と接触する装置、入れ物もしくは容器から浸出したことにより、ＴＦ−脂質成分に存在することがある。
【００２１】
この第２の実施形態によるキットは、０ｍＭ超〜約１００ｍＭの範囲の濃度の１種または複数種のキレート剤と共に緩衝液中に組織因子−脂質成分を含む第１の容器と、緩衝液中にカルシウム成分（たとえばＣａ＋＋イオン）、たとえば約５ｍＭ〜約５００ｍＭの範囲の濃度でカルシウム成分を含む第２の容器とを含む。
【００２２】
ＴＦ−脂質成分およびカルシウム成分が分かれているものの、ＴＦ−脂質にキレート剤が存在しない上述の第１の実施形態では、キットは、少なくとも１〜２年の有効期間を有する。たとえば、図１Ａ〜１Ｃの表１〜３は、本発明による２成分「混合および使用」トロンボプラスチン液キットが２〜８℃で最低２４ヶ月またはそれ以上保管したときの２成分「混合および使用」トロンボプラスチン液キットの３つの異なるロット（図１Ａ＝ロット１；図１Ｂ＝ロット２および図１Ｃ＝ロット３）のリアルタイム安定性データを示す。
【００２３】
簡単に説明すると、図１Ａ〜Ｃのデータを作成するため、上述の第１の実施形態（キレート剤を含まない）の２成分「混合および使用」トロンボプラスチン液キットを２〜８℃で保管し、適宜（たとえば、５５ヶ月までの様々な月時点で）取り出し、正常対照血漿（ＮＣ）、低異常対照血漿（Ｌｏｗ  Ａｂ  Ｃｏｎ）および高異常対照血漿（Ｈｉｇｈ  Ａｂｎ）を対象にACL TOP（登録商標）機器（Instrumentation Laboratory（登録商標））で機能性（プロトロンビン時間（ＰＴ）（ｓｅｃ））およびフィブリノーゲン（ｄＦｉｂ）（ｍｇ／ｄＬ））について検査した。これらの研究に使用した異常血漿は、ＰＴを正常対照血漿に典型的な１０〜１４秒より大きく延長させる。これらの時間での平均値を、ベースライン（０ヶ月）時に取得した値と比較した。様々な時点でのパーセント差は、以下の通り計算した：％差＝（ストレス平均−ベースライン平均）／（ベースライン平均）×１００。図１の表１〜３の仕様（ＮＣのＰＴで％差＜１０％；Ｌｏｗ  Ａｂ  ＣｏｎまたはＨｉｇｈ  ＡｂｎのＰＴで％差＜１５％；ＮＣ、Ｌｏｗ  Ａｂ  ＣｏｎまたはＨｉｇｈ  ＡｂｎのｄＦｉｂで％差＜１５％）を満たしている値から、２成分「混合および使用」トロンボプラスチン液キットが安定であることが示される。よって、図１の表１〜３からまとめられた結果からは、キレート剤を含まない２成分「混合および使用」トロンボプラスチン液キットの上述の実施形態が少なくとも最低２４ヶ月またはそれ以上安定であることが立証される。
【００２４】
１種または複数種のキレート剤が２成分「混合および使用」トロンボプラスチン液キットに加えられる（具体的には、ＥＤＴＡなどのキレート剤が液体ＴＦ−脂質成分に加えられる）本発明の第２の実施形態では、２成分「混合および使用」トロンボプラスチン液キットは、２４ヶ月（２年）〜６０ヶ月（５年）安定である。
【００２５】
本発明のこの第２の実施形態では、上記で論じたプロトロンビン時間を測定するための液体トロンボプラスチン試薬を調製するためのキットであって、緩衝液中に組織因子（ＴＦ）−脂質成分およびキレート剤を含む第１の容器を含むキットが提供される。キレート剤濃度は、たとえば約０ｍＭ超〜約１００ｍＭ、約０超〜約５０ｍＭ、約０ｍＭ超〜約２５ｍＭ、約１０ｍＭ〜約５０ｍＭであり、たとえばＥＤＴＡで約０．５ｍＭ、シトレートで約１１ｍＭである。本発明のこの実施形態によるキットは、約５ｍＭ〜約５００ｍＭの範囲の濃度で緩衝カルシウム成分などのカルシウム成分（たとえばＣａ＋＋イオン）を含む第２の容器をさらに含む。
【００２６】
この第２の実施形態では、第１の容器の内容物および第２の容器の内容物を含むキットの有効期間は、約２〜５年である。
【００２７】
本明細書に記載の本発明による２液系の液体トロンボプラスチン試薬を対象とする第１および第２の実施形態の組織因子は、組換え組織因子もしくはネイティブな組織因子または組換え組織因子およびネイティブな組織因子の両方の組み合わせから選択することができる。組織因子は、他の別名、以下に限定されるものではないが、トロンボプラスチン組織因子、第ＩＩＩ因子、凝固因子ＩＩＩ、ＣＤ１４２または血小板組織因子によっても知られており、組織因子の別名は、本発明の範囲内に包含される。
【００２８】
典型的には、ネイティブな組織因子は、脳または他の組織、たとえば脳、肝臓、腎臓、心臓、血管、胎盤または内皮細胞、血小板、血液細胞（たとえば、以下に限定されるものではないが、単球、好中球および他の顆粒球）、腫瘍細胞、組織因子陽性マイクロパーティクル、内皮細胞または内皮下細胞（たとえば、以下に限定されるものではないが、平滑筋細胞または線維芽細胞）、ならびに卵、大豆、植物組織、酵母および細菌から抽出される。
【００２９】
本明細書に記載の本発明による２液系の液体トロンボプラスチン試薬を対象とする第１および第２の実施形態の溶液中のカルシウム（たとえば、Ｃａ＋＋イオン）の濃度は、約０ｍＭ超〜約５００ｍＭに及ぶ。たとえば、カルシウム溶液は、０ｍＭ超〜約９０ｍＭ、０ｍＭ超〜約８０ｍＭ、０ｍＭ超〜約７０ｍＭ、０ｍＭ超〜約６０ｍＭ、０ｍＭ超〜約５０ｍＭ、０ｍＭ超〜約４０ｍＭ、０ｍＭ超〜約３０ｍＭ、０ｍＭ超〜約２０ｍＭ、０ｍＭ超〜約１０ｍＭ、約５ｍＭ〜約１００ｍＭもしくは約１０ｍＭ〜約３０ｍＭ、約１０ｍＭ〜約２０ｍＭ、または約９ｍＭ〜約１５．５ｍＭに及ぶ。カルシウム：ＴＦ−脂質の好ましい比率は１９：１である。
【００３０】
本明細書に記載の本発明による２液系の液体トロンボプラスチン試薬を対象とする第２のキレート剤実施形態のキレート剤は、以下に限定されるものではないが、シトレート、エチレンジアミン四酢酸（ＥＤＴＡ）、エチレングリコール四酢酸（ＥＧＴＡ）、ニトリロ三酢酸（ＮＴＡ）、エチレンジアミン、Ｎ−（２−アセトアミド）イミノ二酢酸（ＡＤＡ）、ジエチレントリアミン五酢酸（ＤＴＰＡ）、タルトレート、グリシネート、ＢＡＰＴＡ（１，２−ビス（ｏ−アミノフェノキシ）エタン−Ｎ，Ｎ，Ｎ’，Ｎ’−四酢酸）、オキサレート、ホスフェート、ジホスフェート、ポリホスフェートまたは上記の組み合わせから選択される。
【００３１】
本明細書に記載の本発明による２液系の液体トロンボプラスチン試薬を対象とする第２のキレート剤実施形態のキレート剤またはキレート化剤（たとえば、ＥＤＴＡ）の濃度は、約０ｍＭ超〜約１００ｍＭに及ぶ。たとえば、キレート化剤は、約０ｍＭ〜約１００ｍＭ、約０超〜約５０ｍＭ、約０ｍＭ超〜約２５ｍＭ、約１０ｍＭ〜約５０ｍＭの濃度範囲にあり、たとえば、ＥＤＴＡで約０．５ｍＭ、たとえばシトレートで、約１１ｍＭである。
【００３２】
本明細書に記載の本発明による２液系の液体トロンボプラスチン試薬を対象とする第１および第２の実施形態の組織因子−脂質成分の緩衝液は、トリスもしくは任意の生体用緩衝液またはこれらの誘導体、以下に限定されるものではないが、Ｈｅｐｅｓ、ＭＥＳ緩衝液、ビス−トリス緩衝液、シトレート、ＡＤＡ緩衝液、ＡＣＥＳ緩衝液、ＰＩＰＥＳ緩衝液、イミダゾール／イミダゾリウム緩衝液、ビス−トリスプロパン緩衝液、マレイン酸緩衝液、リン酸塩緩衝液、ＭＯＰＳＯ緩衝液、ＢＥＳ緩衝液、ＭＯＰＳ緩衝液、ＴＥＳ緩衝液、ＤＩＰＳＯ緩衝液、ＭＯＢＳ緩衝液、ＴＡＰＳＯ緩衝液、ＨＥＰＰＳＯ緩衝液、ＰＯＰＳＯ緩衝液、ＥＰＰＳ（ＨＥＰＰＳ）緩衝液、トシシン緩衝液、Ｇｌｙ−Ｇｌｙ緩衝液、ビシン緩衝液、ＨＥＰＢＳ緩衝液、ＴＡＰＳ緩衝液、ＡＭＰＤ緩衝液、ＴＡＢＳ緩衝液、ＡＭＰＳＯ緩衝液、メチルマロネート、ジエチルマロネート、またはグリシンアミドヒドロクロリド緩衝液から選択される。
【００３３】
本明細書に記載の本発明による２液系の液体トロンボプラスチン試薬を対象とする第１および第２の実施形態のカルシウム成分のカルシウム成分緩衝液は、トリスもしくは任意の生体用緩衝液またはこれらの誘導体、以下に限定されるものではないが、Ｈｅｐｅｓ、ＭＥＳ緩衝液、ビス−トリス緩衝液、シトレート、ＡＤＡ緩衝液、ＡＣＥＳ緩衝液、ＰＩＰＥＳ緩衝液、イミダゾール／イミダゾリウム緩衝液、ビス−トリスプロパン緩衝液、マレイン酸緩衝液、リン酸塩緩衝、ＭＯＰＳＯ緩衝液、ＢＥＳ緩衝液、ＭＯＰＳ緩衝液、ＴＥＳ緩衝液、ＤＩＰＳＯ緩衝液、ＭＯＢＳ緩衝液、ＴＡＰＳＯ緩衝液、ＨＥＰＰＳＯ緩衝液、ＰＯＰＳＯ緩衝液、ＥＰＰＳ（ＨＥＰＰＳ）緩衝液、トシシン緩衝液、Ｇｌｙ−Ｇｌｙ緩衝液、ビシン緩衝液、ＨＥＰＢＳ緩衝液、ＴＡＰＳ緩衝液、ＡＭＰＤ緩衝液、ＴＡＢＳ緩衝液、ＡＭＰＳＯ緩衝液、メチルマロネート、ジエチルマロネート、またはグリシンアミドヒドロクロリド緩衝液から選択される。
【００３４】
本明細書に記載の本発明による２液系の液体トロンボプラスチン試薬を対象とする第１および第２の実施形態の組織因子−脂質の脂質成分は、機能活性に影響を与え、以下に限定されるものではないが、リン脂質、コレステロール、個々の脂肪酸、スフィンゴ脂質、モノ−、ジ−もしくはトリグリセリド、あるいは、以下に限定されるものではないが、卵、大豆もしくは他の植物組織、酵母、細菌、または心臓、脳、肝臓などの動物組織を含む天然の材料の脂質抽出物の混合物でできている。
【００３５】
別の態様では、本発明は、プロトロンビン時間を測定するための液体トロンボプラスチン試薬を調製するための方法を対象とする。本方法は、組織因子および脂質、たとえば、リン脂質を含む液状試薬を収容する第１の容器を含むキットを用意すること、および第２の容器に約５ｍＭ〜約５００ｍＭの範囲の濃度で緩衝液に溶かしたカルシウム溶液（たとえば、カルシウム緩衝成分）を含む第２の容器を用意することを含む。
【００３６】
その後のステップにおいて、第１の容器の組織因子および脂質を含む液状試薬は、液体トロンボプラスチン試薬を室温で作るために、第２の容器のカルシウム溶液と混合される。
【００３７】
キレート剤の添加を行わない液状トロンボプラスチン試薬の有効期間は、少なくとも約２年である。
【００３８】
別の態様では、本発明は、プロトロンビン時間を測定するための液体トロンボプラスチン試薬を調製するための方法を含む。本方法は、組織因子、脂質、たとえば、リン脂質混合物およびキレート剤（キレート剤濃度は、０ｍＭ超〜約１００ｍＭに及ぶ）を含む液状試薬を含む第１の容器を含むキットを用意すること、および約５ｍＭ〜約５００ｍＭの範囲の濃度で緩衝液に溶かしたカルシウム溶液（たとえば、カルシウム緩衝成分）を含む第２の容器を用意することを含む。
【００３９】
その後のステップにおいて、組織因子、脂質およびキレート剤を含む液状試薬は、液体トロンボプラスチン試薬を室温で作るために、カルシウム溶液と混合される。
【００４０】
上述のキレート剤を含む液状トロンボプラスチン試薬の有効期間は、少なくとも１年超、好ましくは２〜５年である。
【００４１】
別の態様では、本発明は、キットの２液系の液体トロンボプラスチン試薬の有効期間を延長させる（またはキットの２液系の液体トロンボプラスチン試薬を安定化する）ための方法であって、液状の組織因子およびリン脂質の組み合わせを含む成分（ａ）を用意すること、キレート剤（ｂ）を用意してキレート剤（ｂ）を成分（ａ）に加えること、キレート剤を有する有効期間の延長された２液系の液体トロンボプラスチン試薬を作るため約５ｍＭ〜約１００ｍＭの濃度範囲で溶液中にカルシウムを含む成分（ｃ）を用意することを含む方法を対象とする。本明細書に記載のキレート剤を有する２液系トロンボプラスチン試薬の有効期間は、少なくとも１年超であり、少なくとも約２年、好ましくは２〜５年である。
【００４２】
本明細書に開示された本発明によりもたらされる利点は、以下に限定されるものではないが、
・液体試薬が少なくとも１年超で少なくとも５年までの従来技術の液体トロンボプラスチンより長い有効期間を有する、ＰＴアッセイのためのキットおよび液体試薬を提供すること。
・試薬がプロトロンビン時間の判定に有用な試薬のストレスによる（たとえば、汚染物質によるメカニカルストレス、化学ストレスまたは熱によるストレス）不安定性から保護されている、ＰＴアッセイのためのキットおよび液体試薬を提供すること。
・ＰＴアッセイのための試薬調製を簡素化し、試薬調製時間を最小限にすること
を含む。
【実施例】
【００４３】
本発明の種々の実施形態の実施例
本明細書に記載の本発明による２成分混合および使用の液体トロンボプラスチンは、液体組織因子−脂質部分（ネイティブまたは組換えＴＦ−脂質）と別個である成分中にカルシウムイオン（Ｃａ＋＋）を含み、標準トロンボプラスチンは、ネイティブまたは組換えＴＦ−脂質を緩衝液（たとえば、カルシウム緩衝成分）に希釈して使用前に調製した。この「混合および使用」構成は、トロンボプラスチン液の市場において独特であり、カルシウム依存性ベシクル融合または金属イオン依存性脂質分解などの有害な脂質分解メカニズムが、感受性脂質に影響を与えないようにする。加えて、トロンボプラスチンの不安定性および沈殿につながる金属イオンベシクル融合からさらに保護するには、ＴＦ−脂質部分にこの金属イオンによるメカニズムを阻害するため、ＥＤＴＡおよびシトレートなどのキレート剤を導入してもよい。試薬部分に存在するキレート剤が少ない（すなわち、ミリモル）レベルであると、標準トロンボプラスチンに無意味になる。成分中で過剰のカルシウムと混合すると、最終標準トロンボプラスチン中のキレート剤レベルが無効になるためである）。このキレート剤を用いた保護メカニズムは、従来技術の単一成分トロンボプラスチンでは不可能である。単一成分トロンボプラスチンにおけるキレート剤濃度は、標準トロンボプラスチン内でヒト血漿中のシトレートキレート剤を凌駕してありあまる必要があり、したがってＴＦ−脂質成分に加えられるあらゆるキレート剤は必然的に、凝固を活性化するのに必要とされるカルシウムレベルに凌駕されると考えられるためである。そのうえ、本明細書に記載のトロンボプラスチン液の「混合および使用」構成は、すぐに使える（ｒｅａｄｙ−ｔｏ−ｕｓｅ）トロンボプラスチン試薬に必要とされる試薬調製時間を最小限にし、インキュベーション時間はトロンボプラスチン試薬の使用前にほぼ必要ない。これは、従来技術のトロンボプラスチン試薬との大きな違いであり、従来技術のトロンボプラスチン試薬より使い勝手がよく、効率的である。
【００４４】
２成分混合および使用の液体トロンボプラスチンの開発中に、ＴＦ−脂質部分の不安定性のいくつかの原因が特定された。古くなったキットの分解したＴＦ−脂質成分では、様々なレベルの微量ホスホリパーゼ活性（たとえば、ホスホリパーゼＤ、Ａ１、Ａ２およびＣの）、特にホスホリパーゼＤ活性が検出された。ホスホリパーゼＤ活性は、ｒＴＦ原料に由来するものとして証明することができ、これらは、ホスホリパーゼＤの事前承認アッセイ（pre-qualification assay）により一連の原料において最小限になった。さらに、メカニカルストレス（カートリッジ濾過によるなど）は、熱ストレス（３７℃）中に目に見える一時的な不安定性を引き起こしたが、２〜８℃で保管して４ヶ月以内に解消した。この不安定性は、濁ったＴＦ−脂質試薬バイアルの集団の３７℃での経時的な増加を伴った。これらどちらの問題の影響も、ＴＦ−脂質試薬バイアルにｍＭ（たとえば、０ｍＭ超〜約１００ｍＭ）レベルのキレート剤を使用することにより緩和された。図２Ａおよび２Ｂに図示したように、最低０．５ｍＭのＥＤＴＡ（図２Ａ）または１０．８８ｍＭのクエン酸ナトリウム（図２Ｂ）を含ませると、大規模濾過プロセスによりＰＴ試薬ReadiPlasTin（登録商標）（Instrumentation Laboratory Company, Bedford, Massachusetts）に引き起こされる不安定性は、用量依存性に完全に消失した。
【００４５】
さらに、図３の表４を参照すると、キレート剤の存在は、著しいレベルでＰＴの延長に対しても機能の保護を与えた。表４は、３７℃での１０日間のストレス前にＥＤＴＡで処理した（図３の上の表）、およびＥＤＴＡで処理しなかった（図３の下の表）製造ロット「Ｐ４」（ロットＮ１０４２６９１：カルシウム１９部、ＴＦ−脂質１部、同じ濃度（典型的には希釈液中の９〜１５．５ｍＭのカルシウムと、３ｇ／Ｌの脂質および３．３７５〜４．５ｍｇ／ＬのＴＦを含むＴＦ−脂質）について、ＴＦ−脂質成分の製造中に１０インチの０．２ミクロンスパイラルカートリッジフィルタで濾過した材料を比較したものである。標準トロンボプラスチンを作製するため、対応するカルシウム成分で希釈後（ＴＦ−脂質１部、カルシウム成分１９部）、ＥＤＴＡを含むサンプルは、濾過によるストレス感受性に対して著しい保護を示し、ストレスなしの２成分混合および使用のトロンボプラスチン液で予想されるような、対照材料のプロトロンビン時間を与えた。よって、図３および４は、キレート剤（たとえば、ＥＤＴＡ）によりキレート剤処理サンプル（たとえば、ＴＦ−脂質部分）が安定化し、未処理サンプルと比較して強い安定性が生じたことを例証する。キレート剤を用いない大部分のサンプルは、沈殿が実証され、試験に不合格であった。図４は、キレート剤で処理しなかった左側のバイアルの底部が曇った（沈殿）サンプル（左側のバイアル）と、キレート剤で処理した右側のバイアルの底部が透明なサンプル（沈殿なし）とを図示する。
【００４６】
図５は、新たに調製した試薬（ＴＦ−脂質ロットＮ１０６５９４７）に導入した汚染ホスホリパーゼ（PLase）に対して、キレート剤がReadiPlasTinのＴＦ−脂質部分に与える保護を図示する。ホスファチジルコリンの分解による遊離コリンとして検出される（Thermo Fisher, Amplex Redキット＃  Ａ１２２１９）ホスホリパーゼＤ活性を含む画分を、ReadiPlasTinの作製に使用したＴＦと同じ原材料であるＳｆ９昆虫細胞抽出物から単離した。PLaseを含む画分は、ＴＦ画分（画分６〜１２）と異なるSuperdex 200ゲル濾過溶出プロファイル（画分１４〜１６、GE Healthcare Bio-Sciences, Pittsburgh, PA 15264-3065）で特定および単離し、合わせてYM-10（EMD Millipore HeadquartersBillerica, MA 01821）ダイアフィルトレーション膜上で撹拌細胞濃縮器（stirred cell concentrator）にて約２００倍（約０．５ｍｇ／ｍＬ）濃縮し、２５ｍＭ  カルシウムで５倍濃縮（「５×」）Amplex Redコリンアッセイ緩衝液を用いて５ｍＭ  カルシウムに安定化した（濃縮物４体積＋「５×」１体積、次いで５ｍＭ  カルシウムに希釈した「５×」Amplex Redコリンアッセイ緩衝液を用いて各々１：１０で８倍希釈した）。得られたPLase D活性を有する１０倍希釈原液の系列を体積の１％（１０μＬから１．０ｍＬのＴＦ−脂質成分）に加えて、１．０ｍＭ  ＥＤＴＡキレート剤を用いてあるいは用いずに前処理したReadiPlasTin  Ｎ１０６５９４７バイアルのＴＦ−脂質部分を薄めた。３７℃で１０日間ストレスによる試験の加速後、各バイアルについて、配合物のＴＦ−脂質成分中のホスファチジルコリンが遊離コリンに分解したかどうかを検出するため、高感度のAmplex Red PLase-D蛍光アッセイ（キット＃  Ａ１２２１９；Thermo Fisher Scientific Headquarters, MA 02451）を用いてコリンをアッセイした。
【００４７】
ＴＦ−脂質成分をキレート剤で処理しなかった系列（図５Ａ）では、コリンが、PLaseが最も高かったバイアルでベースラインを超えて（すなわち、１〜１８μΜで）検出された（５Ｅ−３〜５Ｅ−５；すなわち、５×１０−３〜５×１０−５）ｍｇ／ｍＬ、菱形、図５Ａ）が、キレート剤で処理したバイアル中では検出できなかった（すなわち、ほぼ０μΜ）（正方形、図５Ａ）。これらのサンプルから調製した標準トロンボプラスチンについても、キレート剤で処理したＴＦ−脂質成分と未処理ＴＦ−脂質成分に対して類似の保護が認められた（図５Ｂ）。キレート剤（１ｍＭ  ＥＤＴＡ、正方形、図５Ｂ）で処理したＴＦ−脂質系列では正常対照血漿のＰＴのベースラインからの％差の測定値が、PLase D汚染物質の全濃度にわたり低く一定であった（−０％〜−５％）。未処理（ＥＤＴＡを用いない）ＴＦ−脂質系列（菱形、図５）では正常対照血漿のＰＴのベースラインからの％差の測定値がPLase D汚染物質の範囲にわたりより高かった（−２％〜−１３％）。さらに最も高いレベルでは、許容可能なＰＴ％差の仕様（正常対照に対して＜１０％）を上回った。図５に図示した結果は、ReadiPlasTinのＴＦ−脂質部分におけるキレート剤の使用が、加速（たとえば熱ストレスを加える）条件下でPLase汚染物質により引き起こされるリン脂質ホスファチジルコリン分解を防止するという証拠になる。
【００４８】
本発明をいくつかの例示的な実施形態によって記載してきたが、本発明はそのように限定されるものではなく、かつ以下に特許請求されているように本発明の範囲内で好ましい実施形態への多くの付加、削除および修正がなされ得ることが当業者により容易に理解および認識される。
【図１Ａ】
2019510211.tif 000002
【図１Ｂ】
2019510211.tif 000003
【図１Ｃ】
2019510211.tif 000004
【図２Ａ】
2019510211.tif 000005
【図２Ｂ】
2019510211.tif 000006
【図３】
2019510211.tif 000007
【図４】
2019510211.tif 000008
【図５Ａ】
2019510211.tif 000009
【図５Ｂ】
2019510211.tif 000010
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
プロトロンビン時間を測定するための液体トロンボプラスチン試薬を調製するためのキットであって、
緩衝液中に脂質混合物と組み合わされた凝固因子ＩＩＩと、０ｍＭ超〜約１００ｍＭの濃度範囲のキレート剤とを含み、前記キレート剤が、シトレート、ＥＤＴＡ、ＥＧＴＡ、ニトリロ三酢酸（ＮＴＡ）、エチレンジアミン、Ｎ−（２−アセトアミド）イミノ二酢酸（ＡＤＡ）、ジエチレントリアミン五酢酸（ＤＴＰＡ）、１，２−ビス（ｏ−アミノフェノキシ）エタン−Ｎ，Ｎ，Ｎ’，Ｎ’−四酢酸（ＢＡＰＴＡ）、オキサレート、トリホスフェート、ジホスフェート、ポリホスフェート、有機ホスホネートおよびこれらの組み合わせからなる群から選択される、第１の容器；および、
約５ｍＭ〜約５００ｍＭの範囲の濃度で緩衝液に溶かしたカルシウム溶液を含み、前記カルシウム濃度が前記キレート剤濃度を超える、第２の容器
を含むキット。
【請求項２】
前記キットは少なくとも２年の有効期間を有する、請求項１に記載のキット。
【請求項３】
前記組織因子は組換え組織因子およびネイティブな組織因子からなる群から選択される、請求項１に記載のキット。
【請求項４】
前記組織因子は動物組織から抽出される、請求項１に記載のキット。
【請求項５】
前記カルシウム濃度は約９ｍＭ〜約１５．５ｍＭの範囲にある、請求項１に記載のキット。
【請求項６】
前記脂質混合物は、リン脂質、コレステロール、脂肪酸、スフィンゴ脂質、モノ−グリセリド、ジ−グリセリド、トリグリセリド、ならびに卵、大豆、植物組織、酵母、細菌および動物組織からなる群から選択される天然の材料の脂質抽出物からなる群から選択される、請求項１に記載のキット。
【請求項７】
プロトロンビン時間を測定するための液体トロンボプラスチン試薬を調製するための方法であって、
ａ）トロンボプラスチン組織因子、リン脂質、および約０ｍＭ〜約１００ｍＭの濃度範囲のカルシウムキレート剤を含む液状試薬を用意することであって、前記カルシウムキレート剤が、シトレート、ＥＤＴＡ、ＥＧＴＡ、ニトリロ三酢酸（ＮＴＡ）、エチレンジアミン、Ｎ−（２−アセトアミド）イミノ二酢酸（ＡＤＡ）、ジエチレントリアミン五酢酸（ＤＴＰＡ）、１，２−ビス（ｏ−アミノフェノキシ）エタン−Ｎ，Ｎ，Ｎ’，Ｎ’−四酢酸（ＢＡＰＴＡ）、オキサレート、トリホスフェート、ジホスフェート、ポリホスフェート、有機ホスホネートおよびそれらの組み合わせからなる群から選択される、こと；
ｂ）約５ｍＭ〜約５００ｍＭの濃度範囲のカルシウム溶液を用意することであって、前記カルシウム濃度が前記キレート剤濃度を超える、こと；および、
ｃ）室温で前記液体トロンボプラスチン試薬を作るために、ステップａ）の前記液状試薬およびステップｂ）の前記カルシウム溶液を混ぜ合わせること
を含む方法。
【請求項８】
前記液状試薬は少なくとも２年の有効期間を有する、請求項７に記載の方法。
【請求項９】
前記組織因子は、組換え組織因子およびリン脂質、コレステロール、脂肪酸、スフィンゴ脂質、モノ−グリセリド、ジ−グリセリド、トリ−グリセリド、ならびに卵、大豆、植物組織、酵母、細菌および動物組織からなる群から選択される天然の材料の脂質抽出物からなる群から選択される、請求項７に記載の方法。
【請求項１０】
前記組織因子は動物組織からなる群から抽出される、請求項７に記載の方法。
【請求項１１】
前記カルシウム溶液は約５ｍＭ〜約５００ｍＭの濃度範囲にある、請求項７に記載の方法。
【請求項１２】
２成分トロンボプラスチン試薬の有効期間を延長させるための方法であって、
ａ）液状のトロンボプラスチン組織因子と脂質混合物との組み合わせを含む成分ａ）を用意すること；
ｂ）約５ｍＭ〜約５００ｍＭの濃度範囲で溶液中にカルシウムを含む成分ｂ）を用意すること；および
ｃ）成分ａ）にカルシウムキレート剤を加えることであって、前記カルシウム濃度が前記キレート剤濃度を超える、こと
を含む、方法。
【請求項１３】
プロトロンビン時間を測定するための液体トロンボプラスチン試薬を調製するためのキットであって、
緩衝液中に脂質と組み合わされたトロンボプラスチン組織因子を含む第１の容器；および、
約５ｍＭ〜約５００ｍＭの範囲の濃度で緩衝液に溶かしたカルシウム溶液を含む第２の容器
を含むキット。
【請求項１４】
前記脂質は、リン脂質、コレステロール、脂肪酸、スフィンゴ脂質、モノ−グリセリド、ジ−グリセリド、トリグリセリド、および天然の材料の脂質抽出物からなる群から選択される、請求項１３に記載のキット。
【請求項１５】
前記天然の材料の脂質抽出物は、卵、大豆、植物組織、酵母、細菌、ならびに心臓、脳、および肝臓などの動物組織からなる群から選択される、請求項１４に記載のキット。
【請求項１６】
プロトロンビン時間を測定するための液体トロンボプラスチン試薬を調製するための方法であって、
ａ）トロンボプラスチン組織因子および脂質を含む液状試薬を用意すること；
ｂ）約５ｍＭ〜約５００ｍＭの濃度範囲のカルシウム溶液を用意すること；および、
ｃ）室温で前記液体トロンボプラスチン試薬を作るために、ステップａ）の前記液状試薬とステップｂ）の前記カルシウム溶液とを混ぜ合わせること
を含む方法。
【請求項１７】
前記脂質は、リン脂質、コレステロール、脂肪酸、スフィンゴ脂質、モノ−グリセリド、ジ−グリセリド、トリグリセリド、および天然の材料の脂質抽出物からなる群から選択される、請求項１６に記載の方法。
【請求項１８】
前記天然の材料の脂質抽出物は、卵、大豆、植物組織、酵母、細菌、ならびに心臓、脳および肝臓などの動物組織からなる群から選択される、請求項１７に記載の方法。
【国際調査報告】
2019510211.tif 000011
2019510211.tif 000012